(57)【特許請求の範囲】
【請求項１】
装着者の頭部にかつらを取り付けるためのかつら取付部を前記頭部に形成する、かつら取付部の形成方法であって、
前記頭部を一周捲回させずに、前頭部を除き、少なくとも後頭部の周方向に沿って設けられる、１本又は２本以上のかつら取付糸を用意する準備工程と、
前記装着者の複数本の毛髪を束ねた毛束と前記かつら取付糸とを編んで複数の編み込み部を形成し、前記複数の編み込み部によって、前記頭部の周方向に沿って順次前記かつら取付糸を前記頭部に固定してゆく編み込み工程と、
前記かつら取付糸の頭部上方側で前記装着者の複数本の毛髪を束ねた上部毛束と、前記かつら取付糸の頭部下方側で前記装着者の複数本の毛髪を束ねた下部毛束とを、前記かつら取付糸の第１端部及び第２端部に形成する毛束形成工程と、
前記上部毛束と、前記かつら取付糸を介在して前記上部毛束に隣接する前記下部毛束とにより、前記かつら取付糸を挟み込んで、前記上部毛束及び前記下部毛束を１つに束ねた集束毛を形成する集束毛形成工程と、
前記集束毛と前記かつら取付糸とを編んで集束毛編み込み部を前記かつら取付糸の前記第１端部及び前記第２端部にそれぞれ形成し、前記集束毛編み込み部によって、前記かつら取付糸の前記第１端部及び前記第２端部を前記頭部に固定する端部編み込み工程と、を備える、かつら取付部の形成方法。
【請求項２】
前記準備工程では、
２本以上からなるかつら取付糸を用意し、
前記端部編み込み工程では、
前記集束毛形成工程により、前記かつら取付糸を前記頭部に固定する作業者から見て頭部側から手前側に垂らした前記集束毛を、２本のかつら取付糸の間に手前側から頭部側に挿通した後、最上部の前記かつら取付糸に前記集束毛を巻き付けて手前側に引き出し、引き出した前記集束毛を、再び、前記２本のかつら取付糸の間に手前側から頭部側に挿通する挿通工程と、
最下部の前記かつら取付糸と前記頭部との間に前記集束毛を挿通し、前記かつら取付糸で押さえた前記集束毛を頭部下方側に垂らす集束毛垂下工程と、を備える、請求項１に記載のかつら取付部の形成方法。
【請求項３】
前記編み込み工程では、
前記２本のかつら取付糸の間に前記毛束を複数回挿通させて前記編み込み部を形成し、
前記端部編み込み工程では、
前記編み込み工程において前記２本のかつら取付糸の間に前記毛束を挿通する回数よりも、前記２本のかつら取付糸の間に前記集束毛を挿通する回数が少ない、請求項２に記載のかつら取付部の形成方法。
【請求項４】
前記集束毛形成工程では、
前記編み込み工程で前記かつら取付糸に編んだ後の前記毛束と、前記集束毛形成工程で形成した前記上部毛束と、同じく前記集束毛形成工程で形成した前記下部毛束とを、１つに束ねて前記集束毛を形成する、請求項１〜３のいずれか１項に記載のかつら取付部の形成方法。
【請求項５】
前記編み込み工程では、
前記編み込み部を、少なくとも前記後頭部の周方向に沿って所定間隔を設けて形成し、
前記端部編み込み工程では、
前記集束毛編み込み部の中心部と、前記集束毛編み込み部に隣接する前記編み込み部の中心部との距離Ｗ２を、隣接する前記編み込み部の中心部間の距離Ｗ１よりも小さく形成する、請求項１〜４のいずれか１項に記載のかつら取付部の形成方法。
【請求項６】
前記準備工程では、
前記装着者の一方の側頭部から前記後頭部を経由して他方の側頭部まで設けられる長さの前記かつら取付糸を用意する、請求項１〜５のいずれか１項に記載のかつら取付部の形成方法。
【請求項７】
装着者の頭部にかつらを取り付けるためのかつら取付部を前記頭部に形成する、かつら取付部の形成方法であって、
前記装着者の頭部を一周捲回させずに、前頭部を除き、少なくとも後頭部の周方向に沿って設けられる、１本又は２本以上のかつら取付糸を用意する準備工程と、
前記装着者の複数本の毛髪を束ねた毛束を、前記頭部と前記かつら取付糸との間に挿通し、前記毛束を前記かつら取付糸に複数回巻き付けた後、前記毛束を前記かつら取付糸の頭部上方側から、前記かつら取付糸を前記頭部に固定する作業者から見て手前側に垂らし、前記垂らした毛束を、隣接する次の毛束で前記頭部に押さえて、前記隣接する次の毛束を前記頭部と前記かつら取付糸との間に挿通して、前記垂らした毛束と、前記隣接する次の毛束とを交差させ、前記隣接する次の毛束を前記かつら取付糸に複数回巻き付けた後、前記毛束を前記かつら取付糸の頭部上方側から手前側に垂らす編み込みを繰り返し行い、前記頭部の周方向に沿って順次前記かつら取付糸を前記頭部に固定してゆく編み込み工程と、
前記かつら取付糸に複数回巻き付けて前記かつら取付糸の第１端部及び第２端部で垂らした前記毛束を、それぞれ前記毛束自身の毛根周辺で前記毛束自身で押さえた端部編み込み部を形成する端部編み込み工程と、
前記端部編み込み部の毛束と前記かつら取付糸とを結束する取付糸結束工程と、を備える、かつら取付部の形成方法。
【請求項８】
請求項１〜７のいずれか１項に記載のかつら取付部の形成方法により、装着者の頭部に前記かつら取付部を形成するかつら取付部形成工程と、
網目状のかつらベースを有し、かつ、前記かつらベースの周縁のうち、かつら取付糸が配置される領域に、厚みのある縁補強部が設けられたかつらを用意する、かつら準備工程と、
前記頭部に固定された前記かつら取付部の前記かつら取付糸に、前記かつらベースの前記縁補強部を結び付けて固定し、貼着部により前記装着者の前頭部に前記かつらベースの裏側を着脱自在に貼着させるかつら取付工程と、を備える、かつら取付方法。
【請求項９】
前記かつら準備工程により用意する前記かつらは、
前記かつらベースの目開き部から前記装着者の毛髪を引き出し、前記目開き部から引き出した毛髪と、前記かつらベースに結び付けられた毛髪とにより、所望の髪型が形成される、かつらである、請求項８に記載のかつら取付方法。
【請求項１０】
装着者の頭部にかつらを取り付けるためのかつら取付部であって、
前記装着者の頭部を一周捲回させずに、前頭部を除き、少なくとも後頭部の周方向に沿って設けられる、１本又は２本以上のかつら取付糸と、
前記装着者の複数本の毛髪を束ねた毛束と前記かつら取付糸とが編まれて形成されており、前記頭部の周方向に沿って順次前記かつら取付糸を前記頭部に固定する複数の編み込み部と、
前記かつら取付糸の第１端部及び第２端部を前記頭部にそれぞれ固定する複数の集束毛編み込み部と、を備え、
前記集束毛編み込み部は、
前記かつら取付糸の頭部上方側で前記装着者の複数本の毛髪を束ねた上部毛束と、前記かつら取付糸の頭部下方側で前記装着者の複数本の毛髪を束ねた下部毛束とを用いて、前記上部毛束と、前記かつら取付糸を介在して前記上部毛束に隣接する前記下部毛束とにより、前記かつら取付糸を挟み込んで、前記上部毛束及び前記下部毛束を１つに束ねた集束毛が形成された構成を有しており、前記集束毛と前記かつら取付糸とが編まれて前記かつら取付糸の前記第１端部及び前記第２端部に形成されている、かつら取付部。
【請求項１１】
装着者の頭部にかつらを取り付けるためのかつら取付部であって、
前記装着者の頭部を一周捲回させずに、前頭部を除き、少なくとも後頭部の周方向に沿って設けられる、１本又は２本以上のかつら取付糸と、
前記装着者の複数本の毛髪を束ねた毛束を、前記頭部と前記かつら取付糸との間に挿通し、前記毛束をかつら取付糸に複数回巻き付けた後、前記毛束をかつら取付糸の頭部上方側から、前記かつら取付糸を前記頭部に固定する作業者から見て手前側に垂らし、前記垂らした毛束を、隣接する次の毛束で前記頭部に押さえて、前記隣接する次の毛束を前記頭部と前記かつら取付糸との間に挿通して、前記垂らした毛束と、前記隣接する次の毛束とを交差させ、前記隣接する次の毛束をかつら取付糸に複数回巻き付けた後、前記毛束をかつら取付糸の頭部上方側から手前側に垂らす編み込みを繰り返し行い、前記頭部の周方向に沿って順次前記かつら取付糸を前記頭部に固定してゆく編み込み構造と、
前記かつら取付糸に複数回巻き付けて前記かつら取付糸の第１端部及び第２端部で垂らした前記毛束を、それぞれ前記毛束自身の毛根周辺で前記毛束自身で押さえた端部編み込み部と、
前記端部編み込み部の毛束と前記かつら取付糸とを結束した取付糸結束部と、を備える、かつら取付部。
【発明の詳細な説明】
【技術分野】
【０００１】
本発明は、かつら取付部の形成方法、かつら取付方法及びかつら取付部に関する。
【背景技術】
【０００２】
特許文献１には、例えば、１〜１０本のかつら取付糸を用い、頭部の無毛個所の周辺に残った毛髪を束ねた毛束と、かつら取付糸とで編み込み部を形成し、編み込み部によって、頭部の周方向に沿ってかつら取付糸を頭部に順次固定してゆき、頭部を一周するかつら取付糸を設ける、かつら取付部の固定・形成方法が開示されている。頭部を一周するように固定されたかつら取付糸には、人工毛等が植毛されたかつらが、かがり糸によって順次かがり付けされる。これにより、装着者の頭部には、かつら取付糸を介して強固にかつらを固定させることができる。
【先行技術文献】
【特許文献】
【０００３】
【特許文献１】特許第３６８６９９８号公報
【発明の概要】
【発明が解決しようとする課題】
【０００４】
しかしながら、特許文献１では、頭部を一周捲回させて頭部に固定させたかつら取付糸の全周に亘って、かつらを固定してゆくため、かつら取付糸にかつらを固定してしまうと、その後、かつらの内側に位置する頭皮（頭部）を直接洗うことができず、頭部のケアを行うことが容易ではなかった。
【０００５】
また、特許文献１では、かつら取付糸にかつらを固定する際、例えば、かがり糸等によって、かつらの周縁をかつら取付糸にかがり付けして強固に固定するため、かつらの周縁の耐久性を向上させるために、かつらの周縁全てに亘って、厚みのある縁補強部を設けて補強する必要がある。
【０００６】
そのため、かつらの周縁全てに亘って厚みのある縁補強部を設ける分だけ、凹凸が生じ易く、例えば、短髪や刈り上げ等の短い髪形のかつらを用いる場合には、かつらの縁補強部が外部から見えてしまう可能性もあり、第三者に対して、装着者の自毛であるかのように視認させ難い恐れがあるという問題があった。
【０００７】
また、編み込み部によってかつら取付糸を頭部の周方向に沿って順次固定させていっても、かつら取付糸の最後の端部（一方の端部を第１端部と称し、他方の端部を第２端部と称する）が頭部に固定されていないと、自由端となったかつら取付糸の第１端部又は第２端部が、かつらから飛び出してしまう可能性もあり、さらには、自由端となったかつら取付糸の第１端部又は第２端部から、かつら取付糸が緩み始める可能性もある。そのため、かつら取付糸を頭部に固定させる際には、頭部にかつら取付糸の第１端部及び第２端部を正確に固定して、かつら取付糸を頭部に強固に固定させることが望まれている。
【０００８】
そこで、本発明は、かつら取付糸を頭部に強固に固定しつつ、かつら取付糸にかつらを固定した後でも、頭部のケアを容易に行え、かつ、あたかも装着者の自毛であるかのように視認させることができる、かつら取付部の形成方法、かつら取付方法及びかつら取付部を提供することを目的とする。
【課題を解決するための手段】
【０００９】
本発明のかつら取付部の形成方法は、装着者の頭部にかつらを取り付けるためのかつら取付部を前記頭部に形成する、かつら取付部の形成方法であって、前記頭部を一周捲回させずに、前頭部を除き、少なくとも後頭部の周方向に沿って設けられる、１本又は２本以上のかつら取付糸を用意する準備工程と、前記装着者の複数本の毛髪を束ねた毛束と前記かつら取付糸とを編んで複数の編み込み部を形成し、前記複数の編み込み部によって、前記頭部の周方向に沿って順次前記かつら取付糸を前記頭部に固定してゆく編み込み工程と、前記かつら取付糸の頭部上方側で前記装着者の複数本の毛髪を束ねた上部毛束と、前記かつら取付糸の頭部下方側で前記装着者の複数本の毛髪を束ねた下部毛束とを、前記かつら取付糸の第１端部及び第２端部に形成する毛束形成工程と、前記上部毛束と、前記かつら取付糸を介在して前記上部毛束に隣接する前記下部毛束とにより、前記かつら取付糸を挟み込んで、前記上部毛束及び前記下部毛束を１つに束ねた集束毛を形成する集束毛形成工程と、前記集束毛と前記かつら取付糸とを編んで集束毛編み込み部を前記かつら取付糸の前記第１端部及び前記第２端部にそれぞれ形成し、前記集束毛編み込み部によって、前記かつら取付糸の前記第１端部及び前記第２端部を前記頭部に固定する端部編み込み工程と、を備える。
【００１０】
また、本発明のかつら取付方法は、上記のかつら取付部の形成方法により、装着者の頭部に前記かつら取付部を形成するかつら取付部形成工程と、網目状のかつらベースを有し、かつ、前記かつらベースの周縁のうち、かつら取付糸が配置される領域に、厚みのある縁補強部が設けられたかつらを用意する、かつら準備工程と、前記頭部に固定された前記かつら取付部の前記かつら取付糸に、前記かつらベースの前記縁補強部を結び付けて固定し、貼着部により前記装着者の前頭部に前記かつらベースの裏側を着脱自在に貼着させるかつら取付工程と、を備える。
【００１１】
また、本発明のかつら取付部は、装着者の頭部にかつらを取り付けるためのかつら取付部であって、前記装着者の頭部を一周捲回させずに、前頭部を除き、少なくとも後頭部の周方向に沿って設けられる、１本又は２本以上のかつら取付糸と、前記装着者の複数本の毛髪を束ねた毛束と前記かつら取付糸とが編まれて形成されており、前記頭部の周方向に沿って順次前記かつら取付糸を前記頭部に固定する複数の編み込み部と、前記かつら取付糸の第１端部及び第２端部を前記頭部にそれぞれ固定する複数の集束毛編み込み部と、を備え、前記集束毛編み込み部は、前記かつら取付糸の頭部上方側で前記装着者の複数本の毛髪を束ねた上部毛束と、前記かつら取付糸の頭部下方側で前記装着者の複数本の毛髪を束ねた下部毛束とを用いて、前記上部毛束と、前記かつら取付糸を介在して前記上部毛束に隣接する前記下部毛束とにより、前記かつら取付糸を挟み込んで、前記上部毛束及び前記下部毛束を１つに束ねた集束毛が形成された構成を有しており、前記集束毛と前記かつら取付糸とが編まれて前記かつら取付糸の前記第１端部及び前記第２端部に形成されている。
【発明の効果】
【００１２】
本発明では、装着者の頭部を一周捲回させずに、前頭部を除き、少なくとも後頭部の周方向に沿ってかつら取付糸を設けるようにしたことで、かつら取付糸を頭部に固定した後でも、前頭部側でかつらを頭部から離すことも可能となり、頭部のケアを容易に行える。また、かつら取付糸に固定しない、かつらの前頭部の周縁には、縁補強部を設ける必要がなくなり、従来よりも縁補強部による凹凸を抑制でき、その分、あたかも装着者の自毛であるかのように視認させることができる。
【００１３】
さらに、集束毛とかつら取付糸とを編んだ集束毛編み込み部によって、頭部にかつら取付糸の第１端部及び第２端部を正確に固定でき、かつら取付糸を頭部に強固に固定することができる。
【００１４】
また、端部編み込み部を形成した場合にも、端部編み込み部によって、頭部にかつら取付糸の第１端部及び第２端部を正確に固定でき、かつら取付糸を頭部に強固に固定することができる。
【図面の簡単な説明】
【００１５】
【図１】本実施形態のかつら取付部を用いて、頭部にかつらを装着したときの概略図である。
【図２】かつらの詳細構成を示した概略図である。
【図３】かつら取付部を頭部に固定したときの概略図である。
【図４】編み込み部、集束毛編み込み部及び取付糸結束部の配置を示した概略図である。
【図５】上部毛束及び下部毛束を説明するための概略図である。
【図６Ａ】３本のかつら取付糸を用いたときの集束毛編み込み部の形成工程（１）を説明するための概略図である。
【図６Ｂ】３本のかつら取付糸を用いたときの集束毛編み込み部の形成工程（２）を説明するための概略図である。
【図７Ａ】４本のかつら取付糸を用いたときの集束毛編み込み部の形成工程（１）を説明するための概略図である。
【図７Ｂ】４本のかつら取付糸を用いたときの集束毛編み込み部の形成工程（２）を説明するための概略図である。
【図８】２本のかつら取付糸を用いたときの従来の編み込み部の形成工程を説明するための概略図である。
【図９Ａ】２本のかつら取付糸を用いたときの集束毛編み込み部の形成工程（１）を説明するための概略図である。
【図９Ｂ】２本のかつら取付糸を用いたときの集束毛編み込み部の形成工程（２）を説明するための概略図である。
【図１０】１本のかつら取付糸を用いたときの従来の編み込み部の形成工程を説明するための概略図である。
【図１１】１本のかつら取付糸を用いたときの集束毛編み込み部の形成工程を説明するための概略図である。
【図１２】１本のかつら取付糸を用いたときの、他の実施形態における端部編み込み部の形成工程を説明するための概略図である。
【発明を実施するための形態】
【００１６】
以下、図面を参照して本発明の実施形態について詳細に説明する。
【００１７】
（１）第１実施形態
（１−１）かつら取付部及びかつらの構成
図１は、本実施形態のかつら取付部５を用いて、かつら１を装着者の頭部２に固定したときの概略図を示す。かつら１は、繊維部材からなる線状部を格子状に交差させることで、複数の角目状の目開き部を、網目状に有するかつらベース１ａを備えている。かつらベース１ａには、例えば、天然毛髪又は人工毛髪等の毛髪（図示せず）が装着者の頭部２を覆うように均一に設けられており、当該毛髪により所望の髪型が形成されている。
【００１８】
なお、本実施形態のかつら１は、かつらベース１ａの目開き部から装着者の毛髪（自毛）を引き出し、当該目開き部から引き出した自毛と、かつらベース１ａに結び付けられた毛髪とにより、所望の髪型が形成される。
【００１９】
このような、かつら１は、頭部２に固定されたかつら取付部５によって、後頭部２ａ及び側頭部２ｂに固定される。また、かつらベース１ａの裏面は、前頭部２ｃに位置する所定領域に、両面テープ等でなる貼着部３が設けられており、貼着部３によって、装着者の前頭部２ｃに着脱自在に貼着される。
【００２０】
このように、かつら１は、かつらベース１ａが装着者の後頭部２ａ及び側頭部２ｂでかつら取付部５に、かがり糸等で結び付けられて強固に固定させた状態のまま、前頭部２ｃで着脱自在に設けられることから、必要に応じて、かつらベース１ａの前頭部２ｃ側を捲り、かつらベース１ａの前頭部２ｃ側のみを頭部２から脱着させて、前頭部２ｃ側のみを外部に露出させることができる。
【００２１】
次に、図２を用いて、かつらベース１ａについて説明する。図２に示すように、かつらベース１ａは、装着者の頭部２を覆うように形成され、かつらベース１ａの周縁が、頭部２の周方向に沿って設けたかつら取付部５と重なる位置に配置される。かつらベース１ａの周縁には、かつら取付部５と重なる領域に、ポリウレタン等で形成された厚みを有する縁補強部１ｂが形成されている。
【００２２】
ここで、図２中のＥＲ１は、かつらベース１ａの周縁のうち、かつら取付部５と重ならない領域でのかつらベース１ａの周縁を拡大した拡大図を示し、ＥＲ２は、かつらベース１ａの周縁のうち、かつら取付部５と重なる後頭部２ａ側でのかつらベース１ａの周縁を拡大した拡大図を示す。領域ＥＲ１に示すように、かつら取付部５と重ならない、かつらベース１ａの周縁では、周縁に沿って縁補強部１ｂが設けられておらず、その分、周縁での凹凸が抑制される。また、かつらベース１ａの前頭部２ｃ側等の周縁は、縁補強部１ｂが設けられていないので、かつらベース１ａ自体の厚みとなり、厚さを薄くできる。
【００２３】
一方、かつら取付部５と重なる、かつらベース１ａの周縁では、領域ＥＲ２に示すように、周縁に沿って縁補強部１ｂが設けられており、その分、厚さが厚くなるものの、縁補強部１ｂによってかつらベース１ａの周縁が補強され、耐久性の向上が図られている。これにより、かつら取付部５とかつらベース１ａの縁補強部１ｂとを、かがり糸等の糸（図示せず）で固定した際に、縁補強部１ｂによりかつらベース１ａの周縁が損傷してしまうことを防止できる。
【００２４】
次に、かつら取付部５について説明する。図３は、装着者の頭部２に固定した状態のかつら取付部５を示す。図３のＦ２ａは、かつら取付部５を固定した頭部２を側面から見たときの概略図であり、図３のＦ２ｂは、かつら取付部５を固定した頭部２を正面から見たときの概略図である。図３中、ｘは、装着者の前方側を示し、ｚ１は、頭部上方側を示し、ｚ２は、頭部下方側を示す。ｙ１は、頭部２へ近づく方向であり、かつら取付部５を頭部２に固定する作業者から見て頭部側を示す。ｙ２は、頭部２から遠ざかる方向であり、作業者から見て手前側を示す。
【００２５】
本実施形態による、かつら取付部５は、例えば３本のかつら取付糸５ａ，５ｂ，５ｃと、複数の編み込み部６と、かつら取付糸５ａ，５ｂ，５ｃの第１端部８ａ及び第２端部８ｂを頭部２に固定する固定部７とを有している。本実施形態の場合、かつら取付糸５ａ，５ｂ，５ｃは、装着者の頭部２を一周捲回させずに、前頭部２ｃを除き、一方の側頭部２ｂから後頭部２ａを経由して他方の側頭部２ｂまで、頭部２の周方向に沿って設けられている。
【００２６】
編み込み部６は、装着者の複数本の毛髪（自毛）を束ねた毛束と、かつら取付糸５ａ，５ｂ，５ｃとを編んで作られており、かつら取付糸５ａ，５ｂ，５ｃに沿って所定間隔を設けて形成されている。これにより、かつら取付糸５ａ，５ｂ，５ｃは、複数の編み込み部６によって、頭部２の周方向に沿って頭部２に固定されている。
【００２７】
なお、本実施形態による編み込み部６は、本願特有の特徴的構成を有するものではなく、編み込み方やその構造については特に限定されるものではないため、ここでは、その説明は省略する。このような３本のかつら取付糸５ａ，５ｂ，５ｃに形成される編み込み部６の一例としては、例えば、特許第３６８６９９８号公報（特許文献１）に開示された編み込み方等、公知の編み込み方を用いることができる。
【００２８】
かつら取付糸５ａ，５ｂ，５ｃは、装着者の前頭部２ｃを避けて、長手方向の端である一方の第１端部８ａが、固定部７によって装着者の一方の側頭部２ｂに固定され、他方の第２端部８ｂが、同じく固定部７によって装着者の他方の側頭部２ｂに固定されている。なお、かつら取付糸５ａ，５ｂ，５ｃを頭部２に固定する際は、第１端部８ａ側から頭部２に固定し始めてもよく、また、第２端部８ｂ側から頭部２に固定し始めてもよい。
【００２９】
かつら取付糸５ａ，５ｂ，５ｃの第１端部８ａ及び第２端部８ｂの位置は、装着者の自毛の状態により適宜変わり、装着者が頭部２の所望する領域をかつら１で覆えるように頭部２での位置が調整される。図３では、かつら取付糸５ａ，５ｂ，５ｃの第１端部８ａ及び第２端部８ｂの配置例として、装着者の耳２ｅよりも頭部上方側ｚ１における側頭部２ｂに設けられている例を示す。本実施形態では、例えば、装着者の耳２ｅよりも頭部上方側ｚ１において、もみあげの位置Ｌ１から、耳２ｅの後ろの後頭部前側の位置Ｌ２までの領域内、より好ましくは耳幅（耳２ｅの横幅）の領域内に、かつら取付糸５ａ，５ｂ，５ｃの第１端部８ａ及び第２端部８ｂが配置されることが望ましい。
【００３０】
かつら取付部５は、かつら取付糸５ａ，５ｂ，５ｃの第１端部８ａ及び第２端部８ｂを、位置Ｌ１から位置Ｌ２までの領域内、好ましくは耳幅の領域内に配置することで、かつら取付糸５ａ，５ｂ，５ｃを介して後頭部２ａ及び側頭部２ｂにかつら１を強固に固定しつつ、前頭部２ｃでかつら１を捲り易くして、前頭部２ｃの広範囲を外部に露出させることができる。
【００３１】
次に、図４を用いて、かつら取付糸５ａ，５ｂ，５ｃの第１端部８ａ及び第２端部８ｂに設けられた固定部７について説明する。図４に示すように、固定部７は、集束毛編み込み部１５と、集束毛編み込み部１５に形成された取付糸結束部１６とで構成されており、これら集束毛編み込み部１５及び取付糸結束部１６によって、かつら取付糸５ａ，５ｂ，５ｃの第１端部８ａ及び第２端部８ｂを頭部２に固定する。なお、図４では、かつら取付糸５ａ，５ｂ，５ｃについて間隔を空けて図示しているが、実際には、かつら取付糸５ａ，５ｂ，５ｃは１つに束ねられて頭部２に設けられる。
【００３２】
ここで、かつら取付糸５ａ，５ｂ，５ｃの長手方向に沿って配置された、隣接する編み込み部６間の距離Ｗ１は、かつら取付糸５ａ，５ｂ，５ｃが頭部２から外れ難く、かつ、作業者が毛束９をかつら取付糸５ａ，５ｂ，５ｃに編み込む編み込み作業が行い易い距離に選定されている。
【００３３】
集束毛編み込み部１５は、所定間隔で形成される編み込み部６とは異なる編み込み方で形成されており、後述する集束毛１０とかつら取付糸５ａ，５ｂ，５ｃとを編み込んで作られている。本実施形態では、集束毛編み込み部１５の中心部と、当該集束毛編み込み部１５に隣接する編み込み部６の中心部との間の距離Ｗ２は、隣接する編み込み部６の中心部間の距離Ｗ１よりも小さく選定されている。すなわち、Ｗ１及びＷ２は、Ｗ２＜Ｗ１に選定されている。
【００３４】
本実施形態の場合は、集束毛編み込み部１５の中心部と、当該集束毛編み込み部１５に隣接する編み込み部６の中心部との間の距離Ｗ２は、１／２０≦Ｗ２／Ｗ１≦１／３の範囲、好ましくは１／１５≦Ｗ２／Ｗ１≦１／８の範囲で形成されていることが望ましい。
【００３５】
集束毛編み込み部１５は、かつら取付糸５ａ，５ｂ，５ｃの第１端部８ａ及び第２端部８ｂにおいて、隣接する編み込み部６を補強する形で当該編み込み部６の直近に形成され、隣接する編み込み部６とともに、かつら取付糸５ａ，５ｂ，５ｃの第１端部８ａ及び第２端部８ｂを頭部２に強固に固定する。
【００３６】
取付糸結束部１６は、かつら取付糸５ａ，５ｂ，５ｃを結束することにより形成されており、集束毛編み込み部１５の形成位置に形成されている。
【００３７】
（１−２）かつら取付部の形成方法
次に、頭部２に３本のかつら取付糸５ａ，５ｂ，５ｃを固定するかつら取付部５の形成方法について説明する。なお、３本のかつら取付糸５ａ，５ｂ，５ｃに沿って所定間隔で形成される編み込み部６は、例えば、上述した特許文献１に開示された編み込み方等の公知の編み込み部であることから、ここでは、複数の編み込み部６を形成した後に、かつら取付糸５ａ，５ｂ，５ｃに集束毛編み込み部１５及び取付糸結束部１６を形成して、かつら取付糸５ａ，５ｂ，５ｃの第１端部８ａ及び第２端部８ｂを固定する手法に着目して以下説明する。
【００３８】
この場合、複数の編み込み部６によって頭部２に固定されたかつら取付糸５ａ，５ｂ，５ｃの第１端部８ａ及び第２端部８ｂには、図５及び図６Ａに示すように、かつら取付糸５ａ，５ｂ，５ｃの頭部上方側ｚ１で複数本の毛髪を毛根１２ａから束ねた上部毛束１０ａを形成する。また、かつら取付糸５ａ，５ｂ，５ｃの第１端部８ａ及び第２端部８ｂには、かつら取付糸５ａ，５ｂ，５ｃの頭部下方側ｚ２で複数本の毛髪を毛根１２ｂから束ねた下部毛束１０ｂを形成する。
【００３９】
この場合、図５に示すように、かつら取付糸５ａ，５ｂ，５ｃを固定させたい位置Ｌ３を決め、位置Ｌ３を境に毛髪を分け、隣接した上部毛束１０ａ及び下部毛束１０ｂを形成する。次いで、上部毛束１０ａと、かつら取付糸５ａ，５ｂ，５ｃを介在して上部毛束１０ａに隣接する下部毛束１０ｂとにより、かつら取付糸５ａ，５ｂ，５ｃを挟み込む。
【００４０】
次に、図６Ａに示すように、かつら取付糸５ａ，５ｂ，５ｃを上部毛束１０ａ及び下部毛束１０ｂで挟み込んだ状態のまま、作業者から見て手前側（頭部２から離れる方向側）ｙ２で上部毛束１０ａ及び下部毛束１０ｂを１つに束ねて１本の集束毛１０を形成する。
【００４１】
次に、頭部２から手前側ｙ２に垂らした集束毛１０を、最上部のかつら取付糸５ａと、このかつら取付糸５ａと隣接した中間のかつら取付糸５ｂとの間Ｇ１に、手前側ｙ２から頭部側（頭部２に近づく方向側）ｙ１に挿通し、最上部のかつら取付糸５ａで集束毛１０を頭部２に押さえる。
【００４２】
次に、図６Ｂに示すように、最上部のかつら取付糸５ａに集束毛１０を巻き付けて手前側ｙ２に引き出し、引き出した集束毛１０を、再び、最上部のかつら取付糸５ａと中間のかつら取付糸５ｂとの間Ｇ１に手前側ｙ２から頭部側ｙ１に挿通する（挿通工程）。
【００４３】
次に、中間のかつら取付糸５ｂ及び頭部２の間と、最下部のかつら取付糸５ｃ及び頭部２の間とに集束毛１０を通し、中間のかつら取付糸５ｂと最下部のかつら取付糸５ｃとで集束毛１０を頭部２に押さえる。そして、これらかつら取付糸５ｂ，５ｃで押さえた集束毛１０をそのまま頭部下方側ｚ２に垂らして、集束毛１０を頭部下方側ｚ２に引っ張ることで毛根１２ａ，１２ｂ部分に集束毛編み込み部１５を形成することができる（集束毛垂下工程）。
【００４４】
このように、最後は、かつら取付糸５ｂ，５ｃで押さえた集束毛１０を、再び頭部上方側ｚ１から頭部下方側ｚ２へと折り返さずに、そのまま頭部下方側ｚ２に引っ張るだけであり、かつら取付糸５ａ，５ｂ，５ｃにおいて、頭部下方側ｚ２から頭部上方側ｚ１へ、頭部上方側ｚ１から頭部下方側ｚ２へと集束毛１０を往復させる回数を１回としている。
【００４５】
最後に、集束毛編み込み部１５の形成位置で、かつら取付糸５ａ，５ｂ，５ｃを結束する。この場合、図６Ｂに示すように、最下部のかつら取付糸５ｃを、手前側ｙ２から頭部上方側ｚ１に持ってゆき、手前側ｙ２から頭部２とかつら取付糸５ａ，５ｂとの間に挿通し、挿通した最下部のかつら取付糸５ｃをかつら取付糸５ａ，５ｂに複数回巻き付ける。
【００４６】
最後に、最下部のかつら取付糸５ｃを、中間のかつら取付糸５ｂと最下部のかつら取付糸５ｃとの間Ｇ２に、頭部側ｙ１から手前側ｙ２に挿通し、集束毛編み込み部１５に向かって頭部下方側ｚ２に引っ張ることで、集束毛編み込み部１５に取付糸結束部１６を形成することができる（取付糸結束工程）。これにより、取付糸結束部１６は、かつら取付糸５ａ，５ｂ，５ｃの第１端部８ａ及び第２端部８ｂで集束毛編み込み部１５が緩くなることを防止でき、かつら取付糸５ａ，５ｂ，５ｃの第１端部８ａ及び第２端部８ｂを頭部２に一段と強固に固定させることができる。
【００４７】
（１−３）作用及び効果
以上の構成において、かつら取付部５の形成方法では、装着者の頭部２を一周捲回させずに、前頭部２ｃを除き、頭部２の周方向に沿って設けられる、３本のかつら取付糸５ａ，５ｂ，５ｃを用意する（準備工程）。作業者は、装着者の複数本の毛髪を束ねた毛束９とかつら取付糸５ａ，５ｂ，５ｃとを編んで編み込み部６を形成し、複数の編み込み部６によって、頭部２の周方向に沿って順次かつら取付糸５ａ，５ｂ，５ｃを頭部２に固定してゆく（編み込み工程）。
【００４８】
また、かつら取付部５の形成方法では、かつら取付糸５ａ，５ｂ，５ｃの頭部上方側ｚ１で複数本の毛髪を束ねた上部毛束１０ａと、かつら取付糸５ａ，５ｂ，５ｃの頭部下方側ｚ２で複数本の毛髪を束ねた下部毛束１０ｂとを、かつら取付糸５ａ，５ｂ，５ｃの第１端部８ａ及び第２端部８ｂに形成する（毛束形成工程）。
【００４９】
かつら取付部５の形成方法では、上部毛束１０ａと下部毛束１０ｂとにより、かつら取付糸５ａ，５ｂ，５ｃを挟み込んで、上部毛束１０ａ及び下部毛束１０ｂを１つに束ねて集束毛１０を形成し（集束毛形成工程）、この集束毛１０とかつら取付糸５ａ，５ｂ，５ｃとを編んで集束毛編み込み部１５を形成し、集束毛編み込み部１５によって、かつら取付糸５ａ，５ｂ，５ｃの第１端部８ａ及び第２端部８ｂを頭部２に固定する（端部編み込み工程）。
【００５０】
そして、網目状のかつらベース１ａを有し、かつ、かつらベース１ａの周縁のうち、かつら取付糸５ａ，５ｂ，５ｃが配置される領域に、厚みのある縁補強部１ｂが設けられたかつら１を用意する（かつら準備工程）。作業者は、頭部２に固定されているかつら取付糸５ａ，５ｂ，５ｃに、かつらベース１ａの縁補強部１ｂを、例えば糸等で結び付けてゆき、かつら取付糸５ａ，５ｂ，５ｃにかつら１を固定する。
【００５１】
このように、かつら取付部５の形成方法では、装着者の頭部２を一周捲回させずに、前頭部２ｃを除き、頭部２の周方向に沿ってかつら取付糸５ａ，５ｂ，５ｃを設けるようにしたことで、かつら取付糸５ａ，５ｂ，５ｃにかつら１を強固に固定した後でも、かつら１を前頭部２ｃ側で頭部２から離すことができる。よって、装着者は、かつら１の一部を頭部２に固定させたまま、かつら１の前頭部２ｃ側だけを捲り、頭部２のケアを容易に行える。
【００５２】
また、かつら取付部５の形成方法では、かつら取付糸５ａ，５ｂ，５ｃが配置されない、かつらベース１ａの前頭部２ｃの周縁に、かつら取付糸５ａ，５ｂ，５ｃに結び付けるための縁補強部１ｂを設ける必要がなく、その分、簡易な構成を実現できる。すなわち、このようなかつら取付部５を使用することで、かつらベース１ａの一部に縁補強部１ｂを設ける必要がなくなり、装着者がかつらベース１ａを装着した際に、従来よりも縁補強部１ｂによる凹凸を抑制させることでき、その分、あたかも装着者の自毛であるかのように視認させることができる。
【００５３】
本実施形態のかつら１は、かつらベース１ａの目開き部から装着者の自毛を引き出し、当該目開き部から引き出した自毛と、かつらベース１ａに結び付けられた毛髪とにより、所望の髪型が形成されるため、目開き部が大きく、かつ厚みが薄いかつらベース１ａが用いられる。このように、目開き部が大きく、かつ厚みが薄くて凹凸が目立ち易いかつらベース１ａを用いる場合には、かつらベース１ａの一部に縁補強部１ｂを設ける必要がなくなり、従来よりも縁補強部１ｂによる凹凸を抑制できることは大きな効果となる。
【００５４】
さらに、かつら取付部５の形成方法では、集束毛１０でかつら取付糸５ａ，５ｂ，５ｃを挟み込んで編んだ集束毛編み込み部１５を、編み込み部６とは別に作ることで、集束毛編み込み部１５によって、かつら取付糸５ａ，５ｂ，５ｃの第１端部８ａ及び第２端部８ｂを頭部２に強固に固定させることができる。
【００５５】
ところで、例えば、特許文献１（特許第３６８６９９８号公報）に開示された編み込み方により形成される編み込み部６では、３本のかつら取付糸５ａ，５ｂ，５ｃの間に毛束を挿通する回数が合計８回で、上下の往復回数も３回となり（特許文献１の図８参照）、その分、かつら取付糸５ａ，５ｂ，５ｃを頭部２に強固に固定させることができるものの、編み込み構造が複雑な分、作業者が編み込み作業を行う際に、かつら取付糸５ａ，５ｂ，５ｃの第１端部８ａ及び第２端部８ｂの位置に合わせて正確に編み込み部６を形成し難い。
【００５６】
そのため、特許文献１で開示されている編み込み構造の場合、かつら取付糸５ａ，５ｂ，５ｃの第１端部８ａ及び第２端部８ｂを正確に編み込み部６で頭部２に固定して、第１端部８ａ及び第２端部８ｂが自由端とならずにかつらベース１ａから飛び出さないように編み込み作業を行うには、作業者の熟練を要するという問題があった。
【００５７】
これに対して、本実施形態で形成される集束毛編み込み部１５は、上部毛束１０ａ及び下部毛束１０ｂを束ねた集束毛１０を、２本のかつら取付糸５ａ，５ｂの間Ｇ１に手前側ｙ２から頭部側ｙ１に挿通し、最上部のかつら取付糸５ａに集束毛１０を巻き付けて手前側ｙ２に引き出し後、再び、集束毛１０を、２本のかつら取付糸５ａ，５ｂの間Ｇ１に手前側ｙ２から頭部側ｙ１に挿通して形成されている（挿通工程）。
【００５８】
そのため、集束毛編み込み部１５の形成時、かつら取付糸５ａ，５ｂ，５ｃでの集束毛１０の往復回数（かつら取付糸５ａ，５ｂ，５ｃにおいて、頭部下方側ｚ２から頭部上方側ｚ１へ、頭部上方側ｚ１から頭部下方側ｚ２へと集束毛１０を往復させる回数）が１回で、その際、２本のかつら取付糸５ａ，５ｂの間Ｇ１への挿通回数が、２回と少なく、簡単な編み込み構造となる。
【００５９】
よって、作業者が編み込み作業を行う際に、他の編み込み部６よりも簡単な編み込み方である分、かつら取付糸５ａ，５ｂ，５ｃの第１端部８ａ及び第２端部８ｂの位置に合わせて正確に集束毛編み込み部１５を形成できる。また、編み込み部６を補強する形で編み込み部６との距離Ｗ２を狭めて集束毛編み込み部１５を形成できる。よって、集束毛編み込み部１５によって、かつら取付糸５ａ，５ｂ，５ｃの第１端部８ａ及び第２端部８ｂを一段と正確に頭部２に固定させることができる。
【００６０】
また、かつら取付部５の形成方法では、編み込み部６よりも編み込み方が簡単な集束毛編み込み部１５とすることで、かつら取付糸５ａ，５ｂ，５ｃの第１端部８ａ及び第２端部８ｂにおいて、最端部の編み込み部６に近づけて集束毛編み込み部１５を形成できるので、編み込み部６を集束毛編み込み部１５で補強でき、編み込み部６が緩むことを抑制できる。よって、このかつら取付部５の形成方法では、集束毛編み込み部１５を設けることで、かつら取付糸５ａ，５ｂ，５ｃの第１端部８ａ及び第２端部８ｂを頭部２に一段と強固に固定させることができる。
【００６１】
さらに、集束毛編み込み部１５は、上部毛束１０ａと下部毛束１０ｂで、かつら取付糸５ａ，５ｂ，５ｃを挟み込んで１つの集束毛１０を形成している分、集束毛１０自体によっても、かつら取付糸５ａ，５ｂ，５ｃが頭部２から外れることを防止できる。
【００６２】
その一方で、集束毛編み込み部１５では、かつら取付糸５ａ，５ｂ，５ｃを集束毛１０で挟み込んでいるため、かつら取付糸５ａ，５ｂ，５ｃが集束毛１０に隠れてしまい、その箇所では、かつらベース１ａの縁補強部１ｂをかつら取付糸５ａ，５ｂ，５ｃに結び付け難くなる。しかしながら、集束毛編み込み部１５の形成位置は、かつら取付糸５ａ，５ｂ，５ｃの第１端部８ａ及び第２端部８ｂのみであるため、かつら取付糸５ａ，５ｂ，５ｃのその他の箇所では、かつら１の取付作業に影響が生じることはなく、かつら取付糸５ａ，５ｂ，５ｃにかつらベース１ａを強固に固定させることができる。
【００６３】
（２）第２実施形態
次に、図７Ａ及び図７Ｂに示すように、４本のかつら取付糸５ａ，５ｂ，５ｃ，５ｂを用いた場合について以下説明する。なお、この第２実施形態による編み込み部６も、本願特有の特徴的構成を有するものではなく、編み込み方やその構成について特に限定されるものではないため、ここでは、その説明は省略する。なお、４本のかつら取付糸５ａ，５ｂ，５ｃ，５ｂに形成される編み込み部６の一例としては、例えば、特許文献１に開示された編み込み方等、公知の編み込み方を用いることができる。
【００６４】
また、第２実施形態のかつら取付部２１（図７Ｂ）の頭部２に対する配置や、かつら取付糸５ａ，５ｂ，５ｃ，５ｄの第１端部８ａ及び第２端部８ｂの位置、編み込み部６間の距離Ｗ１、編み込み部６との距離Ｗ２等については、上述した第１実施形態（図１〜図４）と同じであるため、ここではその説明は省略する。
【００６５】
以下、複数の編み込み部６を形成した後に、４本のかつら取付糸５ａ，５ｂ，５ｃ，５ｄに、第２実施形態の固定部２７（図７Ｂ）を形成し、かつら取付糸５ａ，５ｂ，５ｃ，５ｄの第１端部８ａ及び第２端部８ｂを固定する手法に着目して説明する。
【００６６】
この場合、複数の編み込み部６を形成した、かつら取付糸５ａ，５ｂ，５ｃ，５ｄの第１端部８ａ及び第２端部８ｂでは、図７Ａに示すように、かつら取付糸５ａ，５ｂ，５ｃ，５ｄの頭部上方側ｚ１で複数本の毛髪を毛根１２ａから束ねた上部毛束１０ａを形成するとともに、同じく、かつら取付糸５ａ，５ｂ，５ｃ，５ｄの頭部下方側ｚ２でも、複数本の毛髪を毛根１２ｂから束ねた下部毛束１０ｂを形成する。
【００６７】
これにより、上部毛束１０ａと、かつら取付糸５ａ，５ｂ，５ｃ，５ｄを介在して上部毛束１０ａに隣接する下部毛束１０ｂとにより、４本のかつら取付糸５ａ，５ｂ，５ｃ，５ｄを挟み込む。次に、図７Ａに示すように、かつら取付糸５ａ，５ｂ，５ｃ，５ｄを上部毛束１０ａ及び下部毛束１０ｂで挟み込んだ状態のまま、手前側ｙ２で上部毛束１０ａ及び下部毛束１０ｂを１つに束ねて１つの集束毛１０を形成する。
【００６８】
次に、頭部２から手前側ｙ２に垂らした集束毛１０を、最下部のかつら取付糸５ｄと、このかつら取付糸５ｄと隣接した中間下側のかつら取付糸５ｃとの間Ｇ３に、手前側ｙ２から頭部側ｙ１に挿通する。次いで、中間下側のかつら取付糸５ｃと、このかつら取付糸５ｃと隣接した中間上側のかつら取付糸５ｂとの間Ｇ２に、集束毛１０を頭部側ｙ１から手前側ｙ２に挿通した後、さらに、中間上側のかつら取付糸５ｂと、このかつら取付糸５ｂと隣接した最上部のかつら取付糸５ａとの間Ｇ１に、集束毛１０を手前側ｙ２から頭部側ｙ１に挿通する。
【００６９】
このように、頭部下方側ｚ２から頭部上方側ｚ１に向けて、かつら取付糸５ｄ，５ｃ，５ｂ，５ａの各間Ｇ３，Ｇ２，Ｇ１に、手前側ｙ２から頭部側ｙ１、頭部側ｙ１から手前側ｙ２に、順次交互に集束毛１０を複数回挿通してゆく。
【００７０】
次いで、図７Ｂに示すように、最上部のかつら取付糸５ａに集束毛１０を巻き付けて手前側ｙ２に引き出し、手前側ｙ２に引き出した集束毛１０を、再び、最上部のかつら取付糸５ａと中間上側のかつら取付糸５ｂとの間Ｇ１に手前側ｙ２から頭部側ｙ１に挿通する。次いで、中間上側のかつら取付糸５ｂと、このかつら取付糸５ｂと隣接した中間下側のかつら取付糸５ｃとの間Ｇ２に、集束毛１０を頭部側ｙ１から手前側ｙ２に挿通した後、さらに、中間下側のかつら取付糸５ｃと、このかつら取付糸５ｃと隣接した最下部のかつら取付糸５ｄとの間Ｇ３に、集束毛１０を手前側ｙ２から頭部側ｙ１に挿通する。
【００７１】
このように、頭部上方側ｚ１から頭部下方側ｚ２に向けて、かつら取付糸５ａ，５ｂ，５ｃ，５ｄの各間Ｇ１，Ｇ２，Ｇ３に、手前側ｙ２から頭部側ｙ１、頭部側ｙ１から手前側ｙ２に、順次交互に集束毛１０を通してゆく。
【００７２】
これにより、最下部のかつら取付糸５ｄで集束毛１０を頭部２に押さえ、かつら取付糸５ｄで押さえた集束毛１０をそのまま頭部下方側ｚ２に垂らして、集束毛１０を頭部下方側ｚ２に引っ張ることで毛根１２ａ，１２ｂ部分に集束毛編み込み部２５を形成することができる。
【００７３】
次に、集束毛編み込み部２５の形成位置で、かつら取付糸５ａ，５ｂ，５ｃ，５ｄを結束する。この場合、図７Ｂに示すように、最下部のかつら取付糸５ｄを、手前側ｙ２から頭部上方側ｚ１に持ってゆき、手前側ｙ２から頭部２とかつら取付糸５ａ，５ｂ，５ｃとの間に挿通し、最下部のかつら取付糸５ｄをかつら取付糸５ａ，５ｂ，５ｃに複数回巻き付ける。
【００７４】
その後、最下部のかつら取付糸５ｄを、中間下側のかつら取付糸５ｃと最下部のかつら取付糸５ｄの間Ｇ３に、頭部側ｙ１から手前側ｙ２に挿通し、集束毛編み込み部２５に向かって頭部下方側ｚ２に引っ張ることで、集束毛編み込み部２５に取付糸結束部２６を形成することができる（取付糸結束工程）。
【００７５】
これにより、かつら取付糸５ａ，５ｂ，５ｃ，５ｄの第１端部８ａ及び第２端部８ｂは、集束毛編み込み部２５及び取付糸結束部２６（これらをまとめて固定部２７とも称する）によって頭部２に強固に固定させることができる。
【００７６】
以上のように、４本のかつら取付糸５ａ，５ｂ，５ｃ，５ｄを用いたかつら取付部２１の形成方法であっても、上述した第１実施形態と同様に、かつら取付糸５ａ，５ｂ，５ｃ，５ｄの第１端部８ａ及び第２端部８ｂを頭部２に強固に固定でき、上述した第１実施形態と同様の効果を得ることができる。
【００７７】
また、第２実施形態のかつら取付部２１では、集束毛編み込み部２５の形成時、かつら取付糸５ａ，５ｂ，５ｃでの集束毛１０の往復回数が１回で、その際、かつら取付糸５ａ，５ｂ，５ｃ，５ｄの間Ｇ１，Ｇ２，Ｇ３への挿通回数が、特許文献１よりも少ない、６回となり、その分、簡単な編み込み構造となり、作業者が編み込み作業を行う際に、かつら取付糸５ａ，５ｂ，５ｃ，５ｄの第１端部８ａ及び第２端部８ｂの位置に合わせて正確に集束毛編み込み部２５を形成できる。また、編み込み部６を補強する形で編み込み部６との距離Ｗ２を狭めて集束毛編み込み部２５を形成できる。よって、集束毛編み込み部２５によって、かつら取付糸５ａ，５ｂ，５ｃ，５ｄの第１端部８ａ及び第２端部８ｂを一段と確実に頭部２に固定させることができる。
【００７８】
なお、５本以上のかつら取付糸を用いる場合には、かつら取付糸の間を順次交互に集束毛１０を挿通させる回数が増えるたけで、上述した第２実施形態と同様の編み込み構造となる。
【００７９】
（３）第３実施形態
次に、２本のかつら取付糸５ａ，５ｂを用いた場合について以下説明する。ここで、図８は、特許文献１に開示された編み込み方により形成された編み込み部３３を示す。この第３実施形態による編み込み部３３は、本願特有の特徴的構成を有するものではなく、編み込み方やその構成について特に限定されるものではない。図８は、２本のかつら取付糸５ａ，５ｂに形成される編み込み部３３を一例として示したものである。
【００８０】
このような編み込み部３３は、複数本の毛髪を毛根３２から束ねた毛束９を形成し、毛束９をかつら取付糸５ａ，５ｂの間Ｇ１に頭部側ｙ１から手前側ｙ２に挿通し、最上部のかつら取付糸５ａに集束毛１０を巻き付けて、再び、かつら取付糸５ａ，５ｂの間Ｇ１に毛束９を頭部側ｙ１から手前側ｙ２に挿通する。
【００８１】
次いで、かつら取付糸５ａ，５ｂの間Ｇ１で頭部側ｙ１から手前側ｙ２に引き出した毛束９を、最下部のかつら取付糸５ｂに巻き付けて、再び、かつら取付糸５ａ，５ｂの間Ｇ１に毛束９を頭部側ｙ１から手前側ｙ２に挿通する。次いで、毛束９を、最上部のかつら取付糸５ａに巻き付けた後、かつら取付糸５ａ，５ｂの間Ｇ１であって、かつ、かつら取付糸５ａ，５ｂの間Ｇ１を挿通させた２つの毛束９の間Ｇ４を頭部側ｙ１から手前側ｙ２に挿通し、毛束９を頭部下方側ｚ２に引っ張り、毛根３２部分に編み込み部３３を形成することができる。
【００８２】
なお、第３実施形態のかつら取付部３１（図９Ｂ）の頭部２に対する配置や、かつら取付糸５ａ，５ｂの第１端部８ａ及び第２端部８ｂの位置、編み込み部３３間の距離Ｗ１、編み込み部３３との距離Ｗ２等については、上述した第１実施形態（図１〜図４）と同じであるため、ここではその説明は省略する。
【００８３】
かつら取付糸５ａ，５ｂの第１端部８ａ及び第２端部８ｂに形成される最端部の編み込み部３３では、さらに、当該編み込み部３３の形成位置に、かつら取付糸５ａ，５ｂが結束される。この場合、図８に示すように、最下部のかつら取付糸５ｂを、手前側ｙ２から頭部上方側ｚ１に持ってゆき、最下部のかつら取付糸５ｂを最上部のかつら取付糸５ａに複数回巻き付ける。
【００８４】
その後、かつら取付糸５ｂを、頭部側ｙ１から手前側ｙ２に向けて、かつら取付糸５ａ，５ｂの間Ｇ１に挿通し、編み込み部３３に向かって頭部下方側ｚ２に引っ張ることで、図９Ａに示すように、編み込み部３３に取付糸結束部３６ａを形成することができる。これにより、かつら取付部３１では、編み込み部箇所の取付糸結束部３６ａによって、かつら取付糸５ａ，５ｂの第１端部８ａ及び第２端部８ｂに位置する最端部の編み込み部３３が緩くなることを防止できる。
【００８５】
なお、上述した実施形態においては、かつら取付糸５ａ，５ｂの第１端部８ａ及び第２端部８ｂに位置する編み込み部３３に、取付糸結束部３６ａを形成した場合について述べたが、本発明はこれに限らず、かつら取付糸５ａ，５ｂの第１端部８ａ及び第２端部８ｂに位置する編み込み部３３に、取付糸結束部３６ａを形成せずに、後述する集束毛編み込み部３５（図９Ａ）を形成してもよい。
【００８６】
次に、２本のかつら取付糸５ａ，５ｂの第１端部８ａ及び第２端部８ｂに形成される集束毛編み込み部３５（図９Ｂ）について以下説明する。かつら取付糸５ａ，５ｂの第１端部８ａ及び第２端部８ｂでは、図９Ａに示すように、かつら取付糸５ａ，５ｂの頭部上方側ｚ１で複数本の毛髪を毛根１２ａから束ねた上部毛束１０ａを形成するとともに、同じく、かつら取付糸５ａ，５ｂの頭部下方側ｚ２でも、複数本の毛髪を毛根１２ｂから束ねた下部毛束１０ｂを形成する。
【００８７】
これにより、上部毛束１０ａと、かつら取付糸５ａ，５ｂを介在して上部毛束１０ａに隣接する下部毛束１０ｂとにより、２本のかつら取付糸５ａ，５ｂを挟み込む。次に、上部毛束１０ａ及び下部毛束１０ｂでかつら取付糸５ａ，５ｂを挟み込んだ状態のまま、上部毛束１０ａと、下部毛束１０ｂと、隣接する編み込み部３３（この場合、取付糸結束部３６ａが形成された最端部の編み込み部３３）の毛束９との３つを手前側ｙ２で１つに束ねて１つの集束毛１０を形成する。
【００８８】
次に、頭部側ｙ１から手前側ｙ２に垂らした集束毛１０を、かつら取付糸５ａ，５ｂの間Ｇ１に、手前側ｙ２から頭部側ｙ１に挿通する。次に、図９Ｂに示すように、最上部のかつら取付糸５ａに集束毛１０を巻き付けて手前側ｙ２に引き出し、引き出した集束毛１０を、再び、かつら取付糸５ａ，５ｂの間Ｇ１に手前側ｙ２から頭部側ｙ１に挿通する。
【００８９】
そして、最下部のかつら取付糸５ｂで集束毛１０を頭部２に押さえ、かつら取付糸５ｂで押さえた集束毛１０をそのまま頭部下方側ｚ２に垂らして、集束毛１０を頭部下方側ｚ２に引っ張ることで毛根１２ａ，１２ｂ部分に集束毛編み込み部３５を形成することができる。
【００９０】
次に、集束毛編み込み部３５の形成位置に、かつら取付糸５ａ，５ｂを結束する。この場合、図９Ｂに示すように、最下部のかつら取付糸５ｂを、手前側ｙ２から頭部上方側ｚ１に持ってゆき、最下部のかつら取付糸５ｂを最上部のかつら取付糸５ａに複数回巻き付ける。その後、かつら取付糸５ｂを、頭部側ｙ１から手前側ｙ２にかつら取付糸５ａ，５ｂの間Ｇ１に挿通し、集束毛編み込み部３５に向かって頭部下方側ｚ２に引っ張ることで、集束毛編み込み部３５に取付糸結束部３６ｂ（これら集束毛編み込み部３５及び取付糸結束部３６ｂをまとめて固定部３７とも称する）を形成することができる（取付糸結束工程）。
【００９１】
以上のように、２本のかつら取付糸５ａ，５ｂを用いたかつら取付部３１の形成方法であっても、上述した第１実施形態と同様に、かつら取付糸５ａ，５ｂの第１端部８ａ及び第２端部８ｂを頭部２に強固に固定でき、上述した第１実施形態と同様の効果を得ることができる。
【００９２】
（４）第４実施形態
次に、１本のかつら取付糸５ａを用いた場合について以下説明する。ここで、図１０は、特許文献１に開示された編み込み方により形成された、編み込み部４３ａ，４３ｂによる編み込み構造を示す。この第４実施形態による編み込み部４３ａ，４３ｂは、本願特有の特徴的構成を有するものではなく、編み込み方やその構成について特に限定されるものではない。図１０は、１本のかつら取付糸５ａに形成される編み込み部４３ａ，４３ｂを一例として示したものである。
【００９３】
ここでは、２つの編み込み部４３ａ，４３ｂに着目して、編み込み部４３ａの編み込み方について以下説明する。この場合、装着者の複数本の毛髪を毛根４４ａで束ねて毛束４５ａを形成し、頭部２とかつら取付糸５ａとの間に毛束４５ａを挿通し、毛束４５ａをかつら取付糸５ａで頭部２に押さえる。次いで、毛束４５ａをかつら取付糸５ａに複数回巻き付けた後、毛束４５ａをかつら取付糸５ａの頭部上方側ｚ１から手前側ｙ２に垂らす。
【００９４】
そして、この垂らした毛束４５ａを、隣接する次の毛束４５ｂで頭部２に押さえて頭部下方側ｚ２に引っ張ることで編み込み部４３ａを形成する。具体的には、隣接する次の毛束４５ｂをかつら取付糸５ａで押さえ、当該毛束４５ｂの毛根４４ｂからかつら取付糸５ａまでの間に形成される、毛束４５ｂと頭部２との間Ｇ５に、かつら取付糸５ａに既に複数回巻き付けて垂らした毛束４５ａを挿通させる。このようにして、垂らした毛束４５ａを、隣接する次の毛束４５ｂで頭部２に押さえる。
【００９５】
次に、頭部２とかつら取付糸５ａとの間に挿通した隣接する次の毛束４５ｂを、垂らした毛束４５ａと交差させた状態で、かつら取付糸５ａに複数回巻き付けた後、当該毛束４５ｂをかつら取付糸５ａの頭部上方側ｚ１から手前側ｙ２に垂らす。このような編み込みを繰り返し行い、編み込み部４３ａ，４３ｂを形成してゆき、編み込み部４３ａ，４３ｂによって、頭部２の周方向に沿って順次かつら取付糸５ａを頭部２に固定してゆく（編み込み工程）。
【００９６】
次に、１本のかつら取付糸５ａの第１端部８ａ及び第２端部８ｂに形成される集束毛編み込み部５３（図１１）について説明する。１本のかつら取付糸５ａの第１端部８ａ及び第２端部８ｂでは、図１１に示すように、かつら取付糸５ａの頭部上方側ｚ１で複数本の毛髪を毛根１２ａから束ねた上部毛束１０ａを形成するとともに、同じく、かつら取付糸５ａの頭部下方側ｚ２でも、複数本の毛髪を毛根１２ｂから束ねた下部毛束１０ｂを形成する。
【００９７】
なお、図１１では、上部毛束１０ａ、下部毛束１０ｂ、かつら取付糸５ａ等の状態を分かり易くするために、上部毛束１０ａを形成する複数本の毛髪の毛根１２ａと、下部毛束１０ｂを形成する複数本の毛髪の毛根１２ｂとが、所定距離を設けて配置されている構成が示されている。しかしながら、実際には、図５に示すように、かつら取付糸５ａを固定させたい位置Ｌ３を決め、位置Ｌ３を境に毛髪を分け、隣接した上部毛束１０ａ及び下部毛束１０ｂを形成する。
【００９８】
次に、上部毛束１０ａと、かつら取付糸５ａを介在して上部毛束１０ａに隣接する下部毛束１０ｂとにより、かつら取付糸５ａを挟み込む。そして、かつら取付糸５ａを上部毛束１０ａ及び下部毛束１０ｂで挟み込んだ状態のまま、作業者から見て手前側（頭部２から離れる方向側）ｙ２で上部毛束１０ａ及び下部毛束１０ｂを１つに束ねて１本の集束毛１０を形成する。
【００９９】
次に、かつら取付糸５ａの第１端部８ａ及び第２端部８ｂに形成された編み込み部４３ｂで、かつら取付糸５ａに既に複数回巻き付けて垂らした毛束４５ｂを、かつら取付糸５ａの最端部（第１端部８ａ及び第２端部８ｂ）に形成した集束毛１０で頭部２に押さえて、当該集束毛１０を頭部２とかつら取付糸５ａとの間に挿通する。なお、本実施形態では、集束毛１０を頭部２とかつら取付糸５ａとの間に挿通する際、始め、頭部下方側ｚ２から頭部上方側ｚ１に挿通する。そして、編み込み部４３ｂの毛束４５ｂと交差させた状態の集束毛１０を、かつら取付糸５ａに複数回巻き付けた後、当該集束毛１０をかつら取付糸５ａの頭部上方側ｚ１から手前側ｙ２に垂らす。
【０１００】
その後、下部毛束１０ｂの毛根１２ｂからかつら取付糸５ａまでの間に形成され、かつ隣接した編み込み部４３ｂの毛束４５ｂが挿通された、下部毛束１０ｂ及び頭部２の間Ｇ８に、かつら取付糸５ａの頭部上方側ｚ１から手前側ｙ２に垂らした集束毛１０を挿通する。これにより、集束毛１０を下部毛束１０ｂの毛根１２ｂ周辺で下部毛束１０ｂで押さえ、頭部下方側ｚ２に集束毛１０を垂らして、集束毛１０を頭部下方側ｚ２に引っ張ることで毛根１２ａ，１２ｂ部分に集束毛編み込み部５３を形成することができる（端部編み込み工程、集束毛垂下工程）。これにより、かつら取付糸５ａの第１端部８ａ及び第２端部８ｂを、集束毛編み込み部５３によって頭部２に強固に固定できる。
【０１０１】
最後に、下部毛束１０ｂで押さえた後の集束毛編み込み部５３の集束毛１０と、かつら取付糸５ａとを１つに束ね、集束毛１０とかつら取付糸５ａを束ねた状態でループＲ１を形成し、束ねた集束毛１０とかつら取付糸５ａとをループ内Ｇ１０に挿通させて引っ張ることで、下部毛束１０ｂの毛根１２ｂ部分に玉止めして取付糸結束部４７を形成することができる。これにより、第４実施形態では、集束毛編み込み部５３と取付糸結束部４７（これらをまとめて固定部５７とも称する）とによって、かつら取付糸５ａの第１端部８ａ及び第２端部８ｂを頭部２に固定させることができる。
【０１０２】
以上のように、１本のかつら取付糸５ａを用いたかつら取付部５１の形成方法であっても、上述した第１実施形態と同様に、かつら取付糸５ａの第１端部８ａ及び第２端部８ｂを頭部２に強固に固定でき、上述した第１実施形態と同様の効果を得ることができる。
【０１０３】
（５）第５実施形態
（５−１）第５実施形態における、かつら取付部の形成方法
次に、１本のかつら取付糸５ａを用いた、他の実施形態について以下説明する。この第５実施形態でも、上述した第４実施形態と同様に、図１０に示すような編み込み部４３ａ，４３ｂが、かつら取付糸５ａに沿って形成される。この第５実施形態による編み込み部４３ａ，４３ｂも、本願特有の特徴的構成を有するものではなく、編み込み方やその構成について特に限定されるものではない。図１０は、１本のかつら取付糸５ａに形成される編み込み部４３ａ，４３ｂを一例として示したものである。
【０１０４】
なお、これら編み込み部４３ａ，４３ｂは、上述した第４実施形態で説明しているため、これら編み込み部４３ａ，４３ｂの説明は省略し、ここでは、かつら取付糸５ａの第１端部８ａ及び第２端部８ｂに形成される端部編み込み部４３ｃ（図１２）について説明する。この場合、図１２に示すように、まず、上述した編み込み部４３ａ，４３ｂと同様にして、かつら取付糸５ａに既に複数回巻き付けて垂らした毛束４５ｂを、かつら取付糸５ａの最端部に新たに形成した毛束４５ｃで押さえ、当該新たに形成した毛束４５ｃを頭部２とかつら取付糸５ａとの間に挿通する。また、新たな毛束４５ｃを、既にかつら取付糸５ａに複数回巻き付けて垂らした毛束４５ｂと交差させた状態で、新たな毛束４５ｃもかつら取付糸５ａに複数回巻き付け、かつら取付糸５ａの最端部の毛束４５ｃをかつら取付糸５ａの頭部上方側ｚ１から手前側ｙ２に垂らす。
【０１０５】
その後、かつら取付糸５ａの最端部の毛束４５ｃの毛根４４ｃからかつら取付糸５ａまでの間に形成され、かつ隣接した編み込み部４３ｂの毛束４５ｂが挿通された、毛束４５ｃ及び頭部２の間Ｇ６に、かつら取付糸５ａの頭部上方側ｚ１から手前側ｙ２に垂らした、かつら取付糸５ａの最端部の毛束４５ｃを挿通する。これにより、かつら取付糸５ａの最端部に位置する毛束４５ｃを、自身の毛根４４ｃ周辺で毛束４５ｃ自身で押さえ、頭部下方側ｚ２に毛束４５ｃを垂らした状態にし、この垂らした毛束４５ｃを頭部下方側ｚ２に引っ張ることで毛根４４ｃ部分に端部編み込み部４３ｃを形成することができる（端部編み込み工程）。
【０１０６】
最後に、自身の毛束４５ｃで押さえた端部編み込み部４３ｃの毛束４５ｃと、かつら取付糸５ａとを１つに束ね、毛束４５ｃとかつら取付糸５ａを束ねた状態でループＲ１を形成し、束ねた毛束４５ｃとかつら取付糸５ａとをループ内Ｇ１０に挿通させて引っ張ることで、毛束４５ｃの毛根４４ｃ部分に玉止めして取付糸結束部４７を形成することができる（取付糸結束工程）。これにより、第４実施形態では、端部編み込み部４３ｃと取付糸結束部４７（これらをまとめて固定部６７とも称する）によって、かつら取付糸５ａの第１端部８ａ及び第２端部８ｂを頭部２に固定させることができる。
【０１０７】
（５−２）作用及び効果
以上の構成において、第４実施形態による、かつら取付部４１の形成方法でも、装着者の頭部２を一周捲回させずに、前頭部２ｃを除き、頭部２の周方向に沿ってかつら取付糸５ａを設けるようにしたことで、かつら１をかつら取付糸５ａに強固に固定した後でも、かつら１を前頭部２ｃ側で頭部２から離すことができる。よって、装着者は、かつら１の一部を頭部２に固定させたまま、かつら１の前頭部２ｃ側だけを捲り、頭部２のケアを容易に行える。
【０１０８】
また、かつら取付部４１の形成方法でも、かつら取付糸５ａが配置されない、かつらベース１ａの前頭部２ｃの周縁に、かつら取付糸５ａに結び付けるための縁補強部１ｂを設ける必要がなく、その分、簡易な構成を実現できる。すなわち、このようなかつら取付部４１を使用することで、かつらベース１ａの一部に縁補強部１ｂを設ける必要がなくなり、装着者がかつらベース１ａを装着した際に、従来よりも縁補強部１ｂによる凹凸を抑制させることでき、その分、あたかも装着者の自毛であるかのように視認させることができる。
【０１０９】
また、かつら取付部４１の形成方法では、かつら取付糸５ａの最端部で、かつら取付糸５ａに巻き付けた毛束４５ｃの毛根４４ｃ周辺で、当該毛束４５ｃを毛束４５ｃ自身で押さえ、毛束４５ｃをかつら取付糸５ａに編み込んだ端部編み込み部４３ｃを作るようにした。これにより、かつら取付部４１の形成方法では、端部編み込み部４３ｃによって、かつら取付糸５ａの第１端部８ａ及び第２端部８ｂを頭部２に強固に固定させることができる。また、かつら取付部４１の形成方法では、端部編み込み部４３ｃの毛束４５ｃとかつら取付糸５ａとを結んだ取付糸結束部４７を作るようにした。これにより、かつら取付部４１の形成方法では、取付糸結束部４７によっても、かつら取付糸５ａの第１端部８ａ及び第２端部８ｂを頭部２に一段と強固に固定させることができる。
【０１１０】
（６）他の実施形態
なお、上述した第１実施形態から第５実施形態においては、頭部を一周捲回させずに、前頭部を除き、少なくとも後頭部の周方向に沿って設けられるかつら取付糸として、前頭部２ｃを除き、頭部２の周方向に沿って後頭部２ａ及び側頭部２ｂに設けたかつら取付糸５ａ，５ｂ，５ｃ，５ｄを適用した場合について述べたが、本発明はこれに限らない。例えば、前頭部２ｃ及び側頭部２ｂを除き、頭部の周方向に沿って後頭部２ａにのみ設けたかつら取付糸を適用してもよい。
【０１１１】
また、上述した第１実施形態から第４実施形態においては、３本のかつら取付糸５ａ，５ｂ，５ｃ、４本のかつら取付糸５ａ，５ｂ，５ｃ，５ｄ、２本のかつら取付糸５ａ，５ｂ、及び、１本のかつら取付糸５ａを用いて、上部毛束１０ａ及び下部毛束１０ｂを束ねた集束毛１０により集束毛編み込み部１５，２５，３５，５３を形成した場合について述べたが、本発明はこれに限らない。例えば、５本から１０本等の複数のかつら取付糸を用いて、上部毛束１０ａ及び下部毛束１０ｂを束ねた集束毛１０により集束毛編み込み部を形成してもよい。
【０１１２】
また、上述した第５実施形態においては、１本のかつら取付糸５ａを用いた場合について説明したが、本発明はこれに限らず、２本以上のかつら取付糸を用いても良い。この場合、複数本のかつら取付糸を１本にまとめることで、上述した第５実施形態と同様に、かつら取付糸の第１端部８ａ及び第２端部８ｂに、毛束４５ｃ及び１つに束ねたかつら取付糸で端部編み込み部４３ｃを形成して、かつら取付糸の第１端部８ａ及び第２端部８ｂを頭部２に固定することができる。
【０１１３】
さらに、上述した第１実施形態から第５実施形態においては、かつら取付糸に固定されるかつらとして、１枚のかつらベース１ａからなるかつら１を適用した場合について述べたが、本発明はこれに限らず、複数枚の網目状のかつらベースを重ね合わせたかつらであってもよい。また、かつらベース１ａの目開き部から装着者の自毛を引き出すかつら１を適用したが、本発明はこれに限らず、例えば、かつらベース１ａの目開きが細かく、目開き部から装着者の自毛を引き出さずに、かつらベースに天然毛髪又は人工毛髪等の毛髪を隙間なく設け、当該毛髪のみにより所望の髪型を形成できるかつらであってもよい。
【０１１４】
また、上述した第４実施形態と第５実施形態においては、前記端部編み込み部の毛束と前記かつら取付糸とを結束する取付糸結束として、図１１に示すように、集束毛編み込み部５３の集束毛１０とかつら取付糸５ａとを１つに束ねて玉止めした取付糸結束部４７や、図１２に示すように、端部編み込み部４３ｃの毛束４５ｃとかつら取付糸５ａとを１つに束ねて玉止めした取付糸結束部４７を適用したが、本発明はこれに限らない。例えば、集束毛編み込み部５３の集束毛１０（又は、端部編み込み部４３ｃの毛束４５ｃ）と、かつら取付糸５ａとを結んだりする等、玉止め以外の方法で結束させるようにしてもよい。
【０１１５】
また、上述した第３実施形態において、上部毛束１０ａ及び下部毛束１０ｂでかつら取付糸５ａ，５ｂを挟み込んだ状態のまま、上部毛束１０ａと、下部毛束１０ｂと、隣接する編み込み部３３（かつら取付糸５ａ，５ｂの第１端部８ａ及び第２端部８ｂの編み込み部３３）の毛束９との３つを手前側ｙ２で１つに束ねて１つの集束毛１０を形成する場合について説明したが、このように、集束毛編み込み部に隣接する最端部の編み込み部の毛束を、上部毛束１０ａ及び下部毛束１０ｂとともに束ねて１つの集束毛１０とする構成については、上述した第１実施形態や第２実施形態、第４実施形態に適用してもよい。さらに、上述した第３実施形態では、上述した第１実施形態等と同様に、集束毛編み込み部３５に隣接する最端部の編み込み部３３の毛束９を束ねずに、上部毛束１０ａ及び下部毛束１０ｂのみで集束毛１０を形成してもよい。
【符号の説明】
【０１１６】
１  かつら
１ａ  かつらベース
１ｂ  縁補強部
５，２１，３１，４１，５１  かつら取付部
５ａ，５ｂ，５ｃ，５ｄ  かつら取付糸
６  編み込み部
１０  集束毛
１０ａ  上部毛束
１０ｂ  下部毛束
１５，２５，３５，５３  集束毛編み込み部
４３ｃ  端部編み込み部
【要約】      （修正有）【課題】かつら取付糸を頭部に強固に固定しつつ、かつら取付糸にかつらを固定した後でも、頭部のケアを容易に行え、かつ、あたかも装着者の自毛であるかのように視認させることができる、かつら取付部の形成方法、かつら取付方法及びかつら取付部を提供する。【解決手段】上部毛束１０ａと下部毛束１０ｂとにより、かつら取付糸５ａ，５ｂ，５ｃを挟み込んで、上部毛束１０ａ及び下部毛束１０ｂを１つに束ねて集束毛１０を形成して、この集束毛１０とかつら取付糸５ａ，５ｂ，５ｃとを編んで集束毛編み込み部１５を形成し、集束毛編み込み部１５によって、かつら取付糸５ａ，５ｂ，５ｃの第１端部及び第２端部を頭部に固定する。【選択図】図６Ｂ【図１】
0006671534.tif 000002
【図２】
0006671534.tif 000003
【図３】
0006671534.tif 000004
【図４】
0006671534.tif 000005
【図５】
0006671534.tif 000006
【図６Ａ】
0006671534.tif 000007
【図６Ｂ】
0006671534.tif 000008
【図７Ａ】
0006671534.tif 000009
【図７Ｂ】
0006671534.tif 000010
【図８】
0006671534.tif 000011
【図９Ａ】
0006671534.tif 000012
【図９Ｂ】
0006671534.tif 000013
【図１０】
0006671534.tif 000014
【図１１】
0006671534.tif 000015
【図１２】
0006671534.tif 000016